(57)【要約】【課題】本発明は、洗剤等の泡立て具としての泡立て能力が極めて高い洗浄具を提供するものであり、特に言えば、洗顔時の洗顔原液の簡便な泡立て用具を提供するものである。【解決手段】軟質ウレタンフォームプレートの中央部を紐体にて縛り、紐体を吊り下げ部とした泡立て用具であって、当該軟質ウレタンフォームプレートは、中央部を残し、中央部よりフォームプレートの周囲に向かってほぼ均等に、常体で隙間が形成されるスリットを形成したものであり、当該フォームプレートの中央部を、例えば、１／４〜１／２回転分捩じった状態で、紐体にて括り、当該紐体にて吊り下げ部を形成したことを特徴とする。【選択図】図５
2010051568.tif 000002
【特許請求の範囲】
【請求項１】
軟質ウレタンフォームプレートの中央部を紐体にて縛り、紐体を吊り下げ部とした泡立て用具であって、当該軟質ウレタンフォームプレートは５〜３０ｍｍの厚さを有し、プレートの中央部を残し、中央部より当該プレートの周囲に向かってほぼ均等に常体で隙間が形成されるスリットを形成し、前記軟質ウレタンフォームプレートの中央部を紐体にて括り、前記軟質ウレタンフォームプレートの中央部を捩じり、その状態を維持して有底の可撓性ネットにて包み、当該可撓性ネットより紐体を伸ばし、この紐体にて吊り下げ部を形成したことを特徴とする泡立て用具。
【請求項２】
前記軟質ウレタンフォームプレートの中央部を１／４〜２回転分捩じった状態とした請求項１記載の泡立て用具。
【請求項３】
前記軟質ウレタンフォームプレートが複数枚積層されてなる請求項１又は２記載の泡立て用具。
【請求項４】
有底の可撓性ネットにて中央部が捩じられた軟質ウレタンフォームを包み当該可撓性ネット縛り、その後、可撓性ネットを裏返した請求項１乃至３いずれか１記載の泡立て用具。
【発明の詳細な説明】
【技術分野】
【０００１】
本発明は液体又は粉状の石鹸にて代表される洗剤の泡立て用具に関するもので、特に言えば、洗顔料の泡立て用具に係るものである。
【背景技術】
【０００２】
近年、ボディソープ、シャンプー、洗顔料等の各種の洗剤が開発されているが、いずれも泡立ちの良さが要求されており、ボディソープにあっては手ぬぐいやスポンジ等の身体洗具につけて身体を擦って泡立たせることがなされている。
【０００３】
一方、洗顔料の用い方は、単に手のひら内に洗顔原液を適量とり、手のひら内にて泡立て、これを顔に付けることとなるため、充分な泡立ちの前に洗顔したり、泡立てている間に場合によっては洗顔原料が流下してしまうことともなる。このように、洗顔時の洗顔原液は手のひら内にて充分に泡立ちさせることが必要であるところ、今までには平易な泡立て用具は開発されておらず、ここに実用的な泡立て用具の提供が望まれていた。
【０００４】
以下、本発明の泡立て具を洗顔用泡立て用具を代表して説明するが、洗顔用泡立て用具の提案が多くなされており、例えば、フォームセル膜を除去した三次元骨格構造をなす軟質ウレタンフォームよりなり、かつほぼ手のひら内に納まる大きさの立体である泡立て用具の提案がある（特許文献１）。
【０００５】
【特許文献１】特開２００４ー０３３７９４号公報
【０００６】
又、同様の目的を有するものとして、軟質ウレタンフォームを可撓性ネットにて包んだ構造の泡立て用具の提案がある（特許文献２、３）。
【０００７】
【特許文献２】特開２００１ー２９９６２７号公報
【０００８】
【特許文献３】実用新案登録第３１０８１９３号公報
【０００９】
しかるに、提案のいずれもが、泡立てに供される軟質ウレタンフォームがブロック状をなしているだけであり、泡立ての目的に対しては、多孔質のフォーム体を利用するだけであって、フォーム体に工夫を凝らしたものではない。
従って、泡立てという目的に対しては、十分な時間を必要とし、洗剤がフォームへ十分浸透する以前にフォーム体を揉む等の泡立て操作がなされるため、洗剤が無駄になるという一面もある。
【発明の開示】
【発明が解決しようとする課題】
【００１０】
本発明は上記した課題を解決しようとするものであり、泡立て具としての泡立て能力が極めて高い洗浄具を提供するものであり、特に言えば、洗顔時の洗顔原液の簡便な泡立て用具を提供するものである。
【課題を解決するための手段】
【００１１】
本発明の泡立て用具は、軟質ウレタンフォームプレートの中央部を紐体にて縛り、紐体を吊り下げ部とした泡立て用具であって、当該軟質ウレタンフォームプレートは５〜３０ｍｍの厚さを有し、プレートの中央部を残し、中央部より当該プレートの周囲に向かってほぼ均等に常体で隙間が形成されるスリットを形成し、前記軟質ウレタンフォームプレートの中央部を紐体にて括り、前記軟質ウレタンフォームプレートの中央部を捩じり、その状態を維持して有底の可撓性ネットにて包み、当該可撓性ネットより紐体を伸ばし、この紐体にて吊り下げ部を形成したことを特徴とする。
【００１２】
好ましくは、軟質ウレタンフォームプレートの中央部を１／４〜２回転分捩じった状態とした泡立て用具であり、場合によっては、軟質ウレタンフォームプレートが複数枚積層されるものであってもよい。特に好ましくは、前記有底の可撓性ネットにて中央部が捩じられた軟質ウレタンフォームを包み当該可撓性ネット縛り、その後、可撓性ネットを裏返した泡立て用具である。
【発明の効果】
【００１３】
本発明は以上の通りであり、洗顔料を速やかにかつ完全に泡立てることが可能となったものである。そして、本発明の泡立て用具を構成する部材は基本的には三つの部材であって、例えば、これをセットとして販売し、購買者が自らこれを組み立てるという面白さももたらすものである。
【発明を実施するための最良の形態】
【００１４】
本発明の最大の特徴は、泡立て用具の中心構造をなすフォームプレートを特殊な形状に裁断し、かつ、これを極めてボリュームのある構造としたものであり、このため、特に洗顔の際にあっては必要量だけ洗顔原液を容器等から取り出し、これを泡立て用具に移し、これを手のひらにて軽くもむことによって洗顔原液が即座にかつ充分に泡立つこととなるものであり、充分泡立った状態で洗顔できることとなったものである。
【００１５】
即ち、使用される軟質ウレタンフォームプレートは、一層或いは複数層であり、スリットはプレートのほぼ中央部から四方に向けて形成されるもので、好ましくは、常体で隙間が形成されるスリットを形成したものである。そして、プレートの中心部を紐体で括り、好ましくは捩じった状態で、括ることによって花びらが開くようにプレートが広がり、しかも、スリットを形成したことによって洗顔料がフォーム中に素早く吸収され、かつ、これを揉むことによって泡立ち及び泡の流れが極めて良くなったものである。
【００１６】
軟質ウレタンフォームプレートは、その切断面が全てセル構造が露出するが、これに捩じりが加わるとプレートの接触面のセルが互いに食い込んでその状態をほぼ保持することができるもので、紐体にてこの状態を保って括ることができるものである。
【００１７】
本発明にあって、軟質ウレタンフォ−ムは、フォームセル膜が除去された三次元骨格構造をなすものがよい。そして、フォ−ムセル数が６〜５０個／インチ、好ましくは、１０〜２５個／インチで、フォームセル数が多過ぎる場合には泡の切れが悪くなり、フォームセルが少な過ぎれば、洗顔原液が流下し易くなってしまう。
【００１８】
そして、前記軟質ウレタンフォームを可撓性ネットにて包み、紐体に当該可撓性ネットが固定される泡立て用具とするもので、有底の可撓性ネットにて捩じられた軟質ウレタンフォームを包み込むものである。
【００１９】
可撓性ネットの例としては、通気性、通水性を備えた種々の素材が使用でき、例えば、織布や不織布であり、生地は天然繊維（木綿、羊毛、絹等）、半合成繊維（レーヨン、アセテート等）、合成繊維（ポリエステル繊維、アクリル繊維、ナイロン繊維、ビニロン繊維等）であってもよい。更に、生地はタオル生地、パイル生地等であってもよい。
【００２０】
フォーム体内にて生じた泡は、更に、可撓性ネットの小さな穴を通過することにより、よりきめの細かいほぼ均一の泡を形成することができることとなったものである。
【実施例】
【００２１】
以下、本発明の洗顔用泡立て用具の好適例をもって更に詳細に説明する。
図１は、本発明の泡立て用具を構成する部材を示すものであり、１０は軟質ウレタンフォームプレート、２０は紐体、３０は有底の可撓性ネットである。軟質ウレタンフォーム（セル数３０個・インチ）１０にあって、基本的には長径１０ｃｍ、短径８ｃｍの楕円形をなし、その厚さは２０ｍｍである。そして、中央部１１から長径及び短径に合わせてスリット１２が形成されている。尚、長径のスリット１２ａには、その中央側に一対の大きな穴１２ｂが形成されている。
【００２２】
紐体２０は予め両端を結んで環状２１にしておく。
【００２３】
可撓性ネット３０は、この例では、ポリ乳酸繊維よりなる生地であり、一方３０ａが開放し、他方３０ｂが有底部をなしている。
【００２４】
以下、上記の各部材をもって本発明の泡立て用具を成形する工程を詳述する。
図２に示すように、軟質ウレタンフォーム１０の穴１２ｂ、１２ｂに、紐体２０を刺し通し括り付ける。尚、穴１２ｂが形成されない場合であっても、いずれかのスリットに通せばよいことはいうまでもない。
【００２５】
次いで、図３に示すようにウレタンフォーム１０に捩じり（矢印）を加え、ウレタンフォーム１０に立体感を与える。各スリット１２にあっては、スリット１２にて切断されたセル同士の接触により相互に食い込み、捩じりによる変形状態を維持する機能を有する。
【００２６】
そして、図４に示すように捩じられたウレタンフォーム１０を紐体２０とは反対側より可撓性ネット３０を被せる。
その後、可撓性ネット３０の有底部３０ｂにてウレタンフォーム１０を包みつつ可撓性ネット３０の開放部３０ａを捩じり、更に、この開放部３０ａを反転・裏返してウレタンフォーム１０を覆うスカート状をなす。ここで、紐体２０がそのまま出現し、吊り下げに供される。尚、可撓性ネット３０の開放部３０ａを捩じった際に、輪ゴムや紐等で留めることも行われる。
【００２７】
図５は得られた泡立て用具の全体図であり、立体的に形成されたウレタンフォーム１０が可撓性ネット３０の有底部３０ｂにて囲まれ、更に、これを可撓性ネット３０の開放部３０ａにてスカート状に覆われたものであり、頭部より吊り下げに供される環状をなした紐体２０が出現するという構成をなしている。尚、紐体２０を環状にしておけば、収納の際に便利であるだけでなく、泡立てするに際してこれに指を通して確実に押さえつつ泡立てすることができる。
【産業上の利用可能性】
【００２８】
本発明は以上の通りであり、泡立ち用具は洗顔料に使用するだけでなく、他の洗剤にも利用できることは当然であり、洗顔用泡立て用具以外にも利用可能であり、例えばボディ洗い用具にも用いられ、その利用価値は極めて大きい。そして、軟質ウレタンフォームを二次元或いは三次元カットを行うよりも低コストで泡立て用具が得られ、しかも泡立ちも極めて良好なものとなった。
【図面の簡単な説明】
【００２９】
【図１】図１は本発明の泡立て用具を構成する各部材を示す図である。
【図２】図２はウレタンフォームプレートと紐体との関係を示す図である。
【図３】図３はウレタンフォームプレートを捩じった状態図である。
【図４】図４は捩じられたウレタンフォームに可撓性ネットを被せる際の図である。
【図５】図５は得られた泡立て用具の斜視図である。
【符号の説明】
【００３０】
１０‥軟質ウレタンフォームプレート、
１１‥軟質ウレタンフォームプレートの中央部、
１２、１２ａ‥スリット、
１２ｂ‥穴、
２０‥紐体、
２１‥紐体の結び目、
３０‥可撓性ネット、
３０ａ‥可撓性ネットの開放部、
３０ｂ‥可撓性ネットの有底部。
【図１】
2010051568.tif 000003
【図２】
2010051568.tif 000004
【図３】
2010051568.tif 000005
【図４】
2010051568.tif 000006
【図５】
2010051568.tif 000007